【手続補正書】
【提出日】平成24年2月27日(2012.2.27)
【手続補正１】
【補正対象書類名】特許請求の範囲
【補正対象項目名】全文
【補正方法】変更
【補正の内容】
【特許請求の範囲】
【請求項１】
開始ノードからトンネル管理要求を受信し、
前記トンネル管理要求が失敗した場合、前記トンネル管理要求の失敗を引き起こしたノードの情報を含む応答メッセージを前記開始ノードに送信すること、
を含むトンネル管理方法であって、前記方法が更に、
ローカルノードが前記トンネル管理要求を完了することができるかどうかを判定し、前記ローカルノードが前記トンネル管理要求を完了することができない場合、前記応答メッセージに含まれる前記ノード情報が前記ローカルノードの情報であるか、
リモートノードに前記トンネル管理要求を送信し、トンネル管理要求の失敗の原因値を含む応答メッセージを、前記リモートノードから受信し、前記ノード情報を含む応答メッセージを前記開始ノードに送信することが、前記トンネル管理要求の失敗の原因値と前記リモートノードの情報とを含む応答メッセージを前記開始ノードに送信することを含み、前記リモートノードの情報は、前記トンネル管理要求の失敗を引き起こしたノードの情報であるか、又は
リモートノードに前記トンネル管理要求を送信し、
トンネル管理要求の失敗の原因値とノード情報とを含む応答メッセージを前記リモートノードから受信し、前記ノード情報を含む応答メッセージを前記開始ノードに送信することが、トンネル管理要求の失敗の原因値と前記受信されたノード情報とを含む応答メッセージを前記開始ノードに送信することを含み、前記受信されたノード情報は、前記トンネル管理要求の失敗を引き起こしたノードの情報である
ことのいずれかを含む、トンネル管理方法。
【請求項２】
前記トンネル管理要求が前記リモートノードに送信される場合、
前記リモートノードから受信される応答メッセージが、追加のロケーション情報を含み、前記追加のロケーション情報は、前記トンネル管理要求の失敗の特定の理由を識別し、
前記開始ノードに送信される応答メッセージは、前記追加のロケーション情報を含む、請求項１に記載の方法。
【請求項３】
トンネル管理要求をトンネル管理ノードに送信し、
前記トンネル管理要求が失敗した場合、前記トンネル管理要求の失敗を引き起こしたノードの情報を含む応答メッセージを前記トンネル管理ノードから受信し、
前記ノード情報にもとづいて前記トンネル管理要求の失敗を引き起こしたノードを見出すこと、を含むトンネル管理方法であって、前記方法が更に、
前記トンネル管理要求の失敗の原因がリソースの不足または装置の失敗である場合は、新しいノードを選択して、前記トンネル管理要求の失敗を引き起こしたノードと置き換え、
前記トンネル管理要求の失敗の原因が情報要素の欠落または情報要素のデコードエラーである場合は、前記追加のロケーション情報にもとづいて、欠落したかまたは誤ってデコードされた情報要素を特定すること
を含む、トンネル管理方法。
【請求項４】
開始ノードからトンネル管理要求を受信するように構成された、受信ユニットと、
前記トンネル管理要求が失敗した場合、前記トンネル管理要求の失敗を引き起こしたノードの情報を含む応答メッセージを前記開始ノードに送信するように構成された送信ユニットと、を備え、
前記送信ユニットが、ローカルノードが前記トンネル管理要求を完了することができるかどうかを判定するように構成された判定モジュールと、前記ローカルノードが前記トンネル管理要求を完了することが不可能である場合、トンネル管理要求の失敗の原因値と前記ローカルノード情報を含む応答メッセージとを前記開始ノードに送信するように構成された送信モジュールとを備え、前記ローカルノード情報は、前記トンネル管理要求の失敗を引き起こしたノードのノード情報であるか、
前記送信ユニットが前記トンネル管理要求をリモートノードに送信するように構成され、前記受信ユニットが、トンネル管理要求の失敗の原因値を含む応答メッセージを前記リモートノードから受信するように構成され、前記送信ユニットは、前記トンネル管理要求の失敗の原因値と前記リモートノードの情報とを含む応答メッセージを前記開始ノードに送信し、前記リモートノードの情報は、前記トンネル管理要求の失敗を引き起こした前記リモートノードのノード情報であるか、又は、
前記送信ユニットがリモートノードに前記トンネル管理要求を送信するように構成され、前記受信ユニットが、トンネル管理要求の失敗の原因値とノード情報とを含む応答メッセージを前記リモートノードから受信するように構成され、前記送信ユニットは、前記トンネル管理要求の失敗の原因値と前記受信されたノード情報とを含む応答メッセージを前記開始ノードに送信し、前記受信されたノード情報は、前記トンネル管理要求の失敗を引き起こした前記ノードのノード情報である
ことのいずれかである、トンネル管理装置。
【請求項５】
前記送信ユニットが前記トンネル管理要求をリモートノードに送信するよう構成されている場合、
前記リモートノードから受信された応答メッセージは、トンネル管理要求の失敗の特定の理由を識別する追加のロケーション情報を含み、
前記送信ユニットにより前記開始ノードに送信される前記応答メッセージは前記追加のロケーション情報を含む、請求項４に記載の装置。
【請求項６】
トンネル管理ノードからトンネル管理要求を送信するように構成された送信ユニットと、
前記トンネル管理ノードからノード情報を含む応答メッセージを受信するように構成された受信ユニットと、
前記ノード情報にもとづいて、前記トンネル管理要求の失敗を引き起こしたノードを見出すように構成された探索ユニットと、
前記トンネル管理要求の失敗の原因がリソースの不足または装置の失敗である場合、新しいノードを選択して、前記トンネル管理要求の失敗を引き起こしたノードと置き換えるか、または前記トンネル管理要求の失敗の原因が情報要素の欠落または情報要素のデコードエラーである場合、欠落しているかまたは誤ってデコードされた特定の情報要素を検出するように構成された、処理ユニットと、
を備える、トンネル管理装置。
【請求項７】
トンネル管理要求を送信するように構成された開始ノードと、
前記開始ノードから前記トンネル管理要求を受信し、ノード情報を含む応答を前記開始ノードに返送するように構成された、トンネル管理ノードと、を備え、
前記開始ノードはさらに、前記ノード情報にもとづいて、前記トンネル管理要求の失敗を引き起こしたノードを見出すように構成されている、通信システムであって、
前記トンネル管理ノードは、前記トンネル管理ノードが前記トンネル管理要求を完了することができるかどうかを判定し、前記トンネル管理ノードは、前記トンネル管理要求を完了することが不可能である場合、前記トンネル管理要求の失敗の原因値と前記トンネル管理ノードの情報とを含む応答メッセージを前記開始ノードに送信し、前記トンネル管理ノードの情報は、前記トンネル管理要求の失敗を引き起こしたノードの情報であるか、
リモートノードをさらに備え、前記トンネル管理ノードは前記リモートノードに前記トンネル管理要求を送信し、前記リモートノードは、トンネル管理要求の失敗の原因値を含む応答メッセージを前記トンネル管理ノードに返送するように構成され、前記トンネル管理ノードはさらに、前記トンネル管理要求の失敗の原因値と前記リモートノードの情報とを含む応答メッセージを前記開始ノードに送信するように構成され、前記リモートノードの前記情報は、前記トンネル管理要求の失敗を引き起こしたノードの情報であるか、又は、
リモートノードをさらに備え、前記トンネル管理ノードは前記トンネル管理要求を前記リモートノードに送信するように構成され、前記リモートノードは、トンネル管理要求の失敗の原因値とノード情報とを含む応答メッセージを前記トンネル管理ノードに返送するように構成され、前記トンネル管理ノードはさらに、前記トンネル管理要求の失敗の原因値と前記受信されたノード情報とを含む応答メッセージを前記開始ノードに送信するように構成され、前記受信されたノード情報は、前記トンネル管理要求の失敗を引き起こしたノードの情報である
ことのいずれかである、通信システム。